【手続補正書】
【提出日】平成28年1月18日(2016.1.18)
【手続補正１】
【補正対象書類名】特許請求の範囲
【補正対象項目名】全文
【補正方法】変更
【補正の内容】
【特許請求の範囲】
【請求項１】
コンピュータ実装される方法であって、
オンラインシステムの対話ユーザにつながっている閲覧ユーザを識別する工程と、
前記閲覧ユーザのつながりのセット内における各つながりに対して、前記つながりに対して前記閲覧ユーザが与える影響を示す指標である影響値を決定する工程であって、前記つながりのセット内の１つのつながりに対する影響値は、前記閲覧ユーザに関連付けられているコンテンツに前記つながりが実行した１以上の対話に基づいて決定される、工程と、
前記つながりのセットに対して決定された前記影響値に基づいて、前記閲覧ユーザのインフルエンサスコアを決定する工程と、
アクティビティについて記述するストーリを前記閲覧ユーザへ送信することを、前記インフルエンサスコアに基づいて決定する、ストーリ送信決定工程と、
前記ストーリを前記閲覧ユーザへ表示するためのクライアントデバイスに送信する工程と
を含む、方法。
【請求項２】
前記つながりのセット内における各つながりに対してインフルエンサスコアを決定する工程と、
つながりの前記セットの前記インフルエンサスコアと、つながりの前記セットの前記影響値とに基づいて、前記閲覧ユーザに対して前記インフルエンサスコアを決定する工程と、をさらに含む、請求項１に記載の方法。
【請求項３】
前記アクティビティは、ソーシャルネットワーキングシステムにおいて前記対話ユーザが実行したものである、請求項１に記載の方法。
【請求項４】
前記インフルエンサスコアを決定する工程は、前記アクティビティに対してカテゴリを割り当てる工程をさらに含み、前記影響値は、割り当てられた前記カテゴリにそれぞれ関連づけられる、請求項１に記載の方法。
【請求項５】
前記カテゴリ割り当て工程は、前記アクティビティに含まれているソーシャルネットワーキングオブジェクトに関連付けられているコンテンツ、前記アクティビティに関連付け
られているメタデータ、および前記アクティビティの識別情報のうちの１つに少なくとも基づく、請求項４に記載の方法。
【請求項６】
前記つながりのセット内のつながりの影響値は、前記閲覧ユーザに関連付けられているコンテンツに前記つながりが実行した前記１以上の対話の回数に基づく、請求項１に記載の方法。
【請求項７】
前記つながりのセット内のつながりの影響値は、前記１以上の対話の各対話の重み付けに基づき、各対話の前記重み付けは、前記対話のタイプに基づいて決定される、請求項１に記載の方法。
【請求項８】
コメントのタイプを有する対話は、「いいね」と表明するタイプを有する対話よりも大きな重み付けを有する、請求項７に記載の方法。
【請求項９】
前記閲覧ユーザに対する前記対話ユーザの影響値を決定する工程をさらに含み、前記対話ユーザの前記影響値は、前記閲覧ユーザに対して前記対話ユーザが与える影響を示しており、前記ストーリ送信決定工程は、前記対話ユーザの影響値と前記インフルエンサスコアとに基づく、請求項１に記載の方法。
【請求項１０】
前記ストーリ送信決定工程は、
前記対話ユーザの影響値および前記閲覧ユーザのインフルエンサスコアに基づいて前記対話ユーザのインフルエンサスコア要素を決定する工程と、
前記インフルエンサスコア要素を閾値と比較する工程と、
前記インフルエンサスコア要素が前記閾値よりも大きいことを判定する工程とを含む、請求項９に記載の方法。
【請求項１１】
コンピュータ実装される方法であって、
オンラインシステムの対話ユーザにつながっている閲覧ユーザを識別する工程と、
前記閲覧ユーザのつながりのセット内における各つながりに対して、前記つながりに対して前記閲覧ユーザが与える影響を示す指標である影響値を決定する、影響値決定工程と、
前記つながりのセットに対して決定された前記影響値に基づいて、前記閲覧ユーザのインフルエンサスコアを決定する工程と、
アクティビティについて記述するストーリを前記閲覧ユーザへ送信することを、前記インフルエンサスコアに基づいて決定する、ストーリ送信決定工程と、
前記ストーリを前記閲覧ユーザへ表示するためのクライアントデバイスに送信する工程と
を含む、方法。
【請求項１２】
コンピュータプログラムコードを含んでいる非一時的コンピュータ可読記憶媒体であって、前記コンピュータプログラムコードは、
オンラインシステムの対話ユーザにつながっている閲覧ユーザを識別する工程と、
前記閲覧ユーザのつながりのセット内における各つながりに対して、前記つながりに対して前記閲覧ユーザが与える影響を示す指標である影響値を決定する工程と、
前記つながりのセットに対して決定された前記影響値に基づいて、前記閲覧ユーザのインフルエンサスコアを決定する工程と、
アクティビティについて記述するストーリを前記閲覧ユーザへ送信することを、前記インフルエンサスコアに基づいて決定する、ストーリ送信決定工程と、
前記ストーリを前記閲覧ユーザへ表示するためのクライアントデバイスに送信する工程と、を実行させるためのものである、媒体。
【請求項１３】
前記コンピュータプログラムコードは、さらに、
前記つながりのセット内における各つながりに対してインフルエンサスコアを決定する工程と、
つながりの前記セットの前記インフルエンサスコアと、つながりの前記セットの前記影響値とに基づいて、前記閲覧ユーザに対して前記インフルエンサスコアを決定する工程と、を実行させるためのものである、請求項１２に記載の媒体。
【請求項１４】
前記アクティビティは、ソーシャルネットワーキングシステムにおいて前記対話ユーザが実行したものである、請求項１２に記載の媒体。
【請求項１５】
前記つながりのセット内のつながりの影響値は、前記閲覧ユーザに関連付けられているコンテンツに前記つながりが実行した１以上の対話の回数に基づく、請求項１２に記載の媒体。
【請求項１６】
前記つながりのセット内のつながりの前記影響値は、前記閲覧ユーザに関連付けられているコンテンツに前記つながりが実行した複数の対話の各対話の重み付けに基づき、各対話の前記重み付けは、前記対話のタイプに基づいて決定される、請求項１２に記載の媒体。
【請求項１７】
コメントのタイプを有する対話は、「いいね」と表明するタイプを有する対話よりも大きな重み付けを有する、請求項１６に記載の媒体。
【請求項１８】
前記コンピュータプログラムコードは、さらに、
前記閲覧ユーザに対する前記対話ユーザの影響値を決定する工程を実行させるためのものであり、前記対話ユーザの前記影響値は、前記閲覧ユーザに対して前記対話ユーザが与える影響を示しており、前記ストーリ送信決定工程は、前記対話ユーザの前記影響値と前記インフルエンサスコアとに基づく、請求項１２に記載の媒体。
【請求項１９】
前記ストーリ送信決定工程は、
前記対話ユーザの前記影響値および前記閲覧ユーザの前記インフルエンサスコアに基づいて前記対話ユーザのインフルエンサスコア要素を決定する工程と、
前記インフルエンサスコア要素を閾値と比較する工程と、
前記インフルエンサスコア要素が前記閾値よりも大きいことを判定する工程とを含む、請求項１２に記載の媒体。
【請求項２０】
前記インフルエンサスコアを決定する工程は、前記アクティビティに対してカテゴリを割り当てる工程をさらに含み、前記影響値は、割り当てられた前記カテゴリにそれぞれ関連づけられる、請求項１２に記載の媒体。